(57)【特許請求の範囲】
【請求項１】
キャビネットと、
前記キャビネット内に提供されたタブと、
前記タブ内に提供され、洗濯物側に開口されたドラムと、
前記ドラムを回転させるモータと、
前記キャビネットと前記タブとの間に提供されたガスケットと、
前記ガスケットに提供され、流体を前記ドラムに噴射するための第１及び第２噴射ノズルと、
前記ガスケットに提供されて前記第１噴射ノズルに前記流体を案内する第１コネクタと、
前記ガスケットに提供されて前記流体を前記第２噴射ノズルに案内する第２コネクタと、
を含む洗濯物処理装置であって、
前記第１及び第２噴射ノズルは、前記ドラムの回転軸の下に提供され、前記回転軸に対して所定の角度で互いに分離され、前記第１及び第２噴射ノズルのうちの少なくとも１つは、第１面及び前記第１面の上の複数のガイドを有し、前記流体は前記第１または第２噴射ノズルのうちの少なくとも１つにより案内されて、前記ドラムに噴射され、
前記ガスケットは内周面に沿って形成された溝を含み、前記第１コネクタまたは第２コネクタのうちの少なくとも１つは、流体を前記溝に噴射するように構成された噴射ホールを含むことを特徴とする、洗濯物処理装置。
【請求項２】
キャビネットと、
前記キャビネット内に提供されたタブと、
前記タブ内に提供され、洗濯物側に開口されたドラムと、
前記ドラムを回転させるモータと、
前記キャビネットと前記タブとの間に提供されたガスケットと、
前記ガスケットに提供され、流体を前記ドラムに噴射するための第１及び第２噴射ノズルと、
を含む洗濯物処理装置であって、
前記第１及び第２噴射ノズルは、前記ドラムの回転軸の下に提供され、前記回転軸に対して所定の角度で互いに分離され、前記第１及び第２噴射ノズルのうちの少なくとも１つは、第１面及び前記第１面の上の複数のガイドを有し、前記流体は前記第１または第２噴射ノズルのうちの少なくとも１つにより案内されて、前記ドラムに噴射され、
前記第１噴射ノズルまたは前記第２噴射ノズルのうちの少なくとも１つは、流体を前記ドラムに噴射するための第１噴射ホールと、流体をガスケットに噴射するための第２噴射ホールと、を含むことを特徴とする、洗濯物処理装置。
【請求項３】
前記流体は、前記ドラムの一方の側に向けて前記第１及び第２噴射ノズルにより噴射される洗濯水である、請求項１または２に記載の洗濯物処理装置。
【請求項４】
前記複数のガイドは、前記第１面から突出し、流路方向に延びる複数のリブを含むことを特徴とする、請求項１または２に記載の洗濯物処理装置。
【請求項５】
隣接リブ間の距離は前記リブの高さと同一である、請求項４に記載の洗濯物処理装置。
【請求項６】
前記ガイドは、前記第１面の内部に流路方向に延びる複数の溝を含む、請求項１または２に記載の洗濯物処理装置。
【請求項７】
前記溝の深さは隣接した溝間の幅の約１／４以下である、請求項６に記載の洗濯物処理装置。
【請求項８】
各々の溝は、円弧型を有する、請求項６に記載の洗濯物処理装置。
【請求項９】
前記第１及び第２噴射ノズルは、前記ガスケットの下部の内周面に提供される、請求項１または２に記載の洗濯物処理装置。
【請求項１０】
前記第１及び第２噴射ノズルに流体を圧送するためのポンプをさらに含む、請求項１または２に記載の洗濯物処理装置。
【請求項１１】
前記流体は洗濯水である、請求項１０に記載の洗濯物処理装置。
【請求項１２】
前記第１または第２噴射ノズルのうちの少なくとも１つは、前記ガスケットと一体形成される、請求項１または２に記載の洗濯物処理装置。
【請求項１３】
前記第１コネクタまたは第２コネクタのうちの少なくとも１つは、前記溝に提供され、前記噴射ホールは前記溝の内部に位置する、請求項１または２に記載の洗濯物処理装置。
【請求項１４】
前記ガスケットは、前記第１噴射ノズルと前記第２噴射ノズルとの間であって、前記溝の上に形成された少なくとも１つの排水ホールを含む、請求項１または２に記載の洗濯物処理装置。
【請求項１５】
前記噴射ホールは、前記第１コネクタまたは第２コネクタのうち、少なくとも１つの円周方向に延びたスリットを含む、請求項１または２に記載の洗濯物処理装置。
【請求項１６】
前記第１噴射ノズル及び前記第１コネクタは一体形成され、前記第２噴射ノズルと前記第２コネクタは一体形成される、請求項１または２に記載の洗濯物処理装置。
【請求項１７】
前記第１噴射ノズルと前記第２噴射ノズルは、前記ガスケットに対称的に提供される、請求項１または２に記載の洗濯物処理装置。
【請求項１８】
前記ガスケットは、流体を前記第１噴射ホールに案内するための第１ガスケット流路と、流体を前記第２噴射ホールに案内するための前記第１ガスケット流路から分岐される第２ガスケット流路と、をさらに含む、請求項２に記載の洗濯物処理装置。
【請求項１９】
前記第１噴射ノズル及び第２噴射ノズルは、前記流体を同時に噴射する、請求項１または２に記載の洗濯物処理装置。
【請求項２０】
前記流体は、前記第１及び第２噴射ノズルの間で交互に噴射される、請求項１または２に記載の洗濯物処理装置。
【請求項２１】
キャビネットと、
前記キャビネット内に提供されたタブと、
前記タブ内に提供され、洗濯物側に開口されたドラムと、
前記ドラムを回転させるモータと、
前記キャビネットと前記タブとの間に提供されたガスケットと、
前記ガスケットに提供され、流体を前記ドラムに噴射するための第１及び第２噴射ノズルと、を含む洗濯物処理装置であって、
前記第１及び第２噴射ノズルは、前記ドラムの回転軸の下に提供され、前記回転軸に対して所定の角度で互いに分離され、前記第１及び第２噴射ノズルのうちの少なくとも１つは、第１面及び前記第１面の上の複数のガイドを有し、前記流体は前記第１または第２噴射ノズルのうちの少なくとも１つにより案内されて、前記ドラムに噴射され、
前記第１噴射ノズルまたは前記第２噴射ノズルのうち、少なくとも１つにより形成された流体の噴射は、複数のメイン噴射流と、前記複数のメイン噴射流の間に形成された水膜とを含むことを特徴とする、洗濯物処理装置。
【請求項２２】
前記ドラムの上部領域に噴射される前記メイン噴射流の数は、前記ドラムの下部領域に噴射されるメイン噴射流の数より多い、請求項２１に記載の洗濯物処理装置。
【請求項２３】
前記第１噴射ノズルは、斜線に沿って前記ドラムの後上方右側から前下方右側までの領域に向けて流体を噴射し、前記第２噴射ノズルは、斜線に沿って前記ドラムの後上方左側から前下方左側までの領域に向けて流体を噴射する、請求項２１に記載の洗濯物処理装置。
【発明の詳細な説明】
【技術分野】
【０００１】
本発明は、洗濯物処理処置に関するものである。
【背景技術】
【０００２】
一般に、洗濯物処理処置は洗濯物を洗濯または乾燥する装置である。洗濯物処理処置による洗濯物の処理時において、外部から流入した洗濯水が循環及び噴射される。洗濯水は循環ポンプにより循環され、噴射されるが、このような循環ポンプは概して容量が制限される。したがって、洗濯物の量が多い場合、短時間に水圧を増加させ、洗濯水を噴射するには限界がある。また、概して水圧は循環ポンプの容量によって制限されるが、循環ポンプが動作し、洗濯水が洗濯物に噴射される時、水圧が低いと洗濯水を洗濯物に均等に噴射できない。特に、すすぎ行程でのすすぎ時間は、洗濯水の噴射に影響を受ける。また、洗濯水が均等に噴射できなければ、洗濯物のすすぎ性能が低下する。
【発明の概要】
【発明が解決しようとする課題】
【０００３】
本発明は、上記の問題点を鑑みて考案されたところ、本発明の目的は、洗濯物を効果的に濡らすことができる洗濯物処理装置を提供することにある。
【課題を解決するための手段】
【０００４】
本発明によって、上記した目的及びその他の目的は、キャビネットと、キャビネット内に提供されたタブと、上記タブ内に提供され、洗濯物側に開口されたドラムと、上記ドラムを回転させるモータと、上記キャビネットと上記タブとの間に提供されたガスケットと、上記ガスケットに提供され、流体を上記ドラムに噴射するための第１及び第２噴射ノズルと、を含む洗濯物処理装置であって、上記第１及び第２噴射ノズルは、上記ドラムの回転軸の下に提供され、上記回転軸に対して所定の角度で互いに分離され、上記第１及び第２噴射ノズルのうちの少なくとも１つは、第１面及び上記第１面上の複数のガイドを有し、上記流体は上記第１または第２噴射ノズルのうちの少なくとも１つにより案内されて上記ドラムに噴射されることを特徴とする、洗濯物処理装置により達成できる。
【図面の簡単な説明】
【０００５】
【図１】本発明の一実施形態による洗濯物処理装置を示す斜視図である。
【図２】図１のライン（Ａ−Ａ）に沿って切断した洗濯物処理装置の側断面図である。
【図３】本発明の一実施形態による洗濯物処理装置の洗濯水噴射構造を示す図である。
【図４】図３のライン（Ｂ−Ｂ）に沿って切断した断面図である。
【図５】本発明の一実施形態による洗濯物処理装置に適用される噴射ノズルを示す図である。
【図６】本発明の一実施形態による洗濯物処理装置に適用される噴射ノズルを示す図である。
【図７】噴射ノズルにより噴射された洗濯水の形態を示す図である。
【図８】本発明の他の実施形態による洗濯物処理装置に適用される噴射ノズルを示す図である。
【図９】本発明の他の実施形態による洗濯物処理装置に適用される噴射ノズルを示す図である。
【図１０】図８の部分（Ｃ）の拡大図である。
【図１１】図９のライン（Ｄ−Ｄ）に沿って切断した部分（Ｅ）の拡大断面図である。
【図１２】本発明の他の実施形態による洗濯物処理装置に適用される噴射ノズルを示す図である。
【図１３】図１１の部分（Ｆ）の拡大図である。
【図１４】図１２のライン（Ｇ−Ｇ）に沿って切断した部分（Ｈ）の拡大断面図である。
【図１５】図１１のライン（Ｉ−Ｉ）に沿って切断した断面図である。
【図１６】本発明の一実施形態による洗濯物処理装置の噴射ノズルによりドラムに噴射された洗濯水の形態を示す概念図である。
【図１７】本発明の一実施形態による洗濯物処理装置の噴射ノズルによりドラムに噴射された洗濯水の形態を示す概念図である。
【図１８】洗濯水の噴射領域を説明するための噴射ノズルにより噴射された洗濯水の断面を示す図である。
【図１９】洗濯水の噴射領域を説明するための噴射ノズルにより噴射された洗濯水の断面を示す図である。
【発明を実施するための形態】
【０００６】
以下、添付した図面を参照して本発明の幾つかの実施形態について説明する。図面及び詳細な説明において、同一の部材番号は、同一または実質的に同一の構成要素を示す。
【０００７】
図１は、本発明の一実施形態による洗濯物処理処置の斜視図である。図２は、図１のラインＡ−Ａに沿って切断した洗濯物処理装置の側断面図である。図３は、本発明の一実施形態による洗濯物処理処置の洗濯水噴射構造を示す図である。図４は、図３のラインＢ−Ｂに沿って切断した断面図を示す。
【０００８】
キャビネット（１１０）内に、外部から供給される洗濯水を貯蔵するためのタブ（１２１）が配置され、タブ（１２１）内には洗濯物を収容するドラム（１２２）が配置される。駆動部（１３０）はドラム（１２２）に回転力を提供し、給水バルブ（１２５）は外部給水源から洗濯水が流れるようにする。タブ（１２１）から洗濯水を排水するために排水ホース（１５１）を使用する。水を汲み上げるためにポンプ（１６０）が使用される。
【０００９】
キャビネット（１１０）は、洗濯物処理装置（１００）の外観を形成する本体（１１１）を含む。本体（１１１）は、前方及び上方に開放されている。フロントカバー（１１２）は、洗濯物を投入するための洗濯物出入ホール（１１９）を含む。フロントカバー（１１２）は、本体（１１１）の前方に連結される。フロントカバー（１１２）の上側にユーザインターフェースを提供するコントロールパネル（１１５）が設置される。本体（１１１）の上側にはトップカバー（１１６）が提供される。
【００１０】
フロントカバー（１１２）には、洗濯物出入ホール（１１９）を開閉するドア（１１３）がヒンジで連結されている。コントロールパネル（１１５）は、洗濯物処理装置（１００）の多様な種類の状態情報を表示する表示部（１１７）、及びユーザが洗濯コース、行程別動作時間、予約等、様々な種類の制御命令が入力できるようにする入力部（１１８）を含む。
【００１１】
洗濯コースは、洗濯物の種類及び機能によって、標準コース、デリケート／ウールコース、高温コース、高速洗浄コース、機能性衣類コース、静音コースなどを含むことができる。洗濯物処理装置は主に、洗濯行程、すすぎ行程、及び脱水行程を遂行する。各行程では、給水、洗濯、すすぎ、排水、脱水、及び／または絞りが遂行される。
【００１２】
洗剤ボックス（１３３）は、洗濯用洗剤、繊維柔軟剤、または漂白剤等の洗剤を貯蔵する。洗剤ボックス（１３３）は、フロントカバー（１１２）の前方から容易に取り出すことができるようにフロントカバー（１１２）の前方に提供される。給水時、洗剤ボックス（１３３）の内部の洗剤が水と混合されてタブ（１２１）に供給される。
【００１３】
タブ（１２１）は、スプリング（１２４）によりトップカバー（１１６）から吊るされ、ダンパー（１２６）により支持されてドラム（１２２）の回転時に発生する振動を吸収する。ドラム（１２２）は、駆動部（１３０）により回転する。ドラム（１２２）内にはリフター（１３５）が提供されてドラム（１２２）の回転時、洗濯物を持ち上げる。
【００１４】
キャビネット（１１０）とタブ（１２１）との間にはガスケット（１４０）が提供される。ガスケット（１４０）の一方の側はキャビネット（１１０）に連結され、他方の側はタブ（１２１）の開放された前方の周辺に連結される。したがって、タブ（１２１）内に貯蔵された洗濯水が、タブ（１２１）とキャビネット（１１０）との間に漏洩するのが防止される。ガスケット（１４０）は、タブ（１２１）の振動を吸収するように周辺に沿って襞を備えるように形成される。
【００１５】
図４を参照すると、ガスケット１４０は、タブ（１２１）に連結されたタブ連結部（１４１）、キャビネット（１１０）に連結されたキャビネット連結部（１４４）、タブ連結部（１４１）とキャビネット連結部（１４４）との間に配置されて振動吸収のための襞が形成された襞部（１４３）、及び襞部（１４３）により形成された溝部（１４２）を含む。
【００１６】
溝部（１４２）を通じてコネクタ（１６４）が連結される。コネクタ（１６４）を通じて噴射ノズル（１７０、１８０）に流れる洗濯水の一部が溝部（１４２）に噴射されるように噴射ホール（１６５）が形成される。噴射ホール（１６５）を通じて噴射された洗濯水は、溝部（１４２）に沿って下へ流れて洗濯物から分離された残余洗剤と汚染物を洗い流す。したがって、ガスケット（１４０）は、溝部（１４２）に沿って下へ流れる洗濯水が排水される排水ホール１６８（図８参照）を有して下部に形成される。
【００１７】
コネクタ（１６４）は、噴射ホール（１６５）がガスケット（１４０）の下部に向かうようにガスケット（１４０）に連結される。この際、コネクタ（１６４）はガスケット（１４０）の垂直対称線（ＰＳＬ）の左右側で垂直対称線（ＰＳＬ）に対して互いに対称となるように提供される。第１噴射ノズル１７０及び第２噴射ノズル１８０は、各々のコネクタ（１６４）に連結される。したがって、洗濯水はコネクタ（１６４）を通じてガスケット（１４０）の下部に噴射されてガスケット（１４０）を効果的に洗浄することができる。
【００１８】
各々の噴射ホール（１６５）は、各々のコネクタ（１６４）の円周方向に延びるスリット状に形成される。噴射ホール（１６５）は、コネクタ（１６４）の円周方向に延びるので、充分な幅を有する洗濯水が噴射されて溝部（１４２）を効果的に洗浄する。また、各々の噴射ホール（１６５）が狭くて長いスリットの形態に形成されるので、洗濯水の噴射強度が増加する。噴射ホール（１６５）は、洗濯水が溝部（１４２）から溢れずに流れるように溝部（１４２）内に位置する。
【００１９】
ガスケット（１４０）は１つの材質で形成される。その代案として、ガスケット（１４０）のタブ締結部（１４１）は硬い材質で形成され、タブ（１４０）との結合力及び充分な剛性を確保するようにすることができ、ガスケット（１４０）のキャビネット連結部（１４４）はタブ（１２１）からキャビネット（１１０）へ伝達される振動を緩和するために弾性材質で形成される。
【００２０】
ガスケット（１４０）には、その内周面に突起部（１４５）が提供される。洗濯物がドラム（１２２）の回転により外側に移動する時に突起部（１４５）と衝突し、以後、内側に移動して洗濯物がドラム（１２２）から離脱するのを防止する。
【００２１】
一方、ガスケット（１４０）には、タブ（１２１）からドラム（１２２）に排出された洗濯水を噴射するための第１及び第２噴射ノズル（１７０、１８０）が備えられる。本実施形態で、洗濯水の噴射のために２つのノズル（１７０、１８０）が使われるが、本発明はこれには限定されない。例えば、洗濯水をドラム（１２２）内の複数の方向に噴射するように２つ以上の噴射ノズルが提供されてもよい。他の実施形態で、噴射ノズルは洗剤と洗濯水との混合物を噴射するようにしてもよい。
【００２２】
本実施形態で、２つの噴射ノズル（１７０、１８０）がガスケット（１４０）に提供されるが、噴射ノズル（１７０、１８０）は洗濯水がドラム（１２２）に噴射されるようにする限り、様々な位置に提供できる。例えば、噴射ノズル（１７０、１８０）は、洗濯水をドラム（１２２）に噴射するように、ドラム（１２２）前方、即ちキャビネット（１１０）やタブ（１２１）に提供される。噴射ノズル（１７０、１８０）は、洗濯水をドラム（１２２）内に上向き噴射するために、ドラム（１２２）の下部の前方に提供される。
【００２３】
タブ（１２１）に貯蔵された洗濯水がポンプ（１６０）により汲み上げられた後、洗濯水は第１噴射ノズル（１７０）と第２噴射ノズル（１８０）によりドラム（１２２）に噴射される。このような方法により洗濯水は循環する。本実施形態で、洗濯水の循環と排水をポンプ（１６０）が遂行するが、本発明はこれには限定されず、例えば排水用ポンプと循環用ポンプが個別に提供されてもよい。
【００２４】
ポンプ（１６０）により汲み上げられた洗濯水は、分配器（１６１）により分配されて、第１噴射流路（１６２）と第２噴射流路（１６３）の各々に沿って第１噴射ノズル（１７０）と第２噴射ノズル（１８０）に案内される。ポンプ（１６０）は、洗濯水が第１噴射ノズル（１７０）及び第２噴射ノズル（１８０）により同時に噴射されるように洗濯水を圧送することができる。その代案として、分配器（１６１）は洗濯水が噴射ノズル（１７０、１８０）の間で交互に噴射されるように水を噴射ノズル（１７０、１８０）に交互に供給することができる。洗濯水は反対方向に洗濯物に噴射される。したがって、洗濯物の効果的な処理を可能にする。また、ドラム（１２２）の回転方向に関わらず、均一な性能で洗濯物を処理することができる。
【００２５】
タブ（１２１）は、ドラム（１２２）の振動時、慣性によるタブ（１２１）の安定性を維持するように、上側及び下側に重錘（１５５、１５６）を備える。重錘（１５５、１５６）は、タブ（１２１）の上側に提供される上部重錘（１５５）と、タブ（１２１）の下側に提供される下部重錘（１５６）と、を含むことができる。
【００２６】
噴射ノズル（１７０、１８０）は、コネクタ（１６４）によりガスケット（１４０）に連結される。第１噴射ノズル（１７０）をガスケット（１４０）に連結するためのコネクタ（１６４）を図４に示す。コネクタ（１６４）はガスケット（１４０）を通じて延びて第１噴射ノズル（１７０）と第１噴射流路（１６２）とを連結する。また、第２噴射ノズル（１８０）も同一または類似の構造でガスケット（１４０）に連結される。
【００２７】
本実施形態で、第１噴射ノズル（１７０）及び第２噴射ノズル（１８０）が対向側にまたは下部重錘（１５６）側に隣接配置されて、噴射ノズル（１７０、１８０）に連結されたコネクタ（１６４）が下部重錘（１５６）と干渉しないようにしている。その代案の構造では、ガスケット（１４０）にコネクタ（１６４）が提供されず、噴射ノズル（１７０、１８０）の配置が下部重錘（１５６）に基づいて制限されない。
【００２８】
一方、洗濯水をドラム（１２２）に実質的に均一に噴射するために、噴射ノズル（１７０、１８０）はガスケット（１４０）の中心を通過する垂直対称線（ＰＳＬ）の左右側に提供されて、垂直対称線（ＰＳＬ）に対して互いに対称になるようにすることができる。
【００２９】
本構造において、第１噴射ノズル（１７０）は、略上後方右側から下前方右側に至るドラム（１２２）の右側に向けて洗濯水を噴射するようにガスケット（１４０）の左側下部に提供され、第２噴射ノズル（１８０）は略上後方左側から下前方左側に至るドラム（１２２）の左側に向けて洗濯水を噴射するようにガスケット（１４０）の右側下部に提供される。その代案の実施形態で、第１噴射ノズル（１７０）と第２噴射ノズル（１８０）は水をドラムの後壁に向けて、例えば、左側上部から右側下部までの領域（第１噴射ノズル（１７０））及び右側上部から左側下部までの領域（第２噴射ノズル（１８０））に噴射するように構成される。当然のことながら、噴射ノズル（１７０、１８０）により噴射される水の方向はプログラミング、洗濯行程、ユーザの好みなどによって変更または調節できる。
【００３０】
噴射ノズル（１７０、１８０）の各々は、複数の凹ガイドを内部に備える。ガイドはリブ状または溝状に形成できる。ガイドは洗濯水が特定の形態に噴射されるように洗濯水を案内する流路上に凹部を形成する。以下、詳細に説明する。
【００３１】
図５（Ａ）及び図５（Ｂ）は、本発明の一実施形態による洗濯物処理装置に適用される噴射ノズルを示す図である。図６は、噴射ノズルにより噴射される洗濯水の形態を示す図である。
【００３２】
噴射ノズル（１７０）は、洗濯水を流入させるための流入部（１７１）、噴射された洗濯水をドラム（１２２）に向かうようにする第１面（１７２）、及び洗濯水の噴射幅を制限するための、第１面（１７２）の対向側から延びる第２及び第３面（１７３、１７４）を含む。
【００３３】
ポンプ（１６０）により汲み上げられ、流入部（１７１）を通じて流入した洗濯水は、流入部（１７１）の出口端（１７１ｈ）に対向するよう形成され、ドラム（１２２）に向けて傾斜した形状で延びる第１面（１７２）に沿って案内されて噴射される。洗濯水は、ポンプ（１６０）の圧送圧力により第１面（１７２）に沿って案内されるので、噴射された洗濯水が扇形にドラム（１２２）に到達するように広がった状態で噴射される。同一の量の洗濯水が噴射されるが、広い領域に噴射される。第１噴射ノズル（１７０）と第２噴射ノズル（１８０）が本実施形態のようにガスケット（１４０）の対向側に提供される時、洗濯水はより広い領域に、より効果的に噴射できる。
【００３４】
一方、第１面（１７２）は、その幅が出口端に向けて徐々に増大するように形成される。第２及び第３表面（１７３、１７４）は、第１面（１７２）の対向側から延びる。
【００３５】
結果的に、第２及び第３面（１７３、１７４）は噴射された洗濯水の噴射幅を制限する。また、第２面（１７３）は噴射された洗濯水の下側境界を形成し、第４面（１７４）は噴射された洗濯水の上側境界を形成する。この際、第２面（１７３）及び第３面（１７４）は噴射された洗濯水の上側境界（ｓｔ２）と下側境界（ｓｔ３）との間の噴射領域が図１６の点（Ｃ）に示すように、ドラム（１２２）の回転軸を横切るように形成される。
【００３６】
一方、第１面（１７２）は、洗濯水の流動方向に配置される複数のリブ（１７５）を備える。第１面（１７２）に沿って案内される洗濯水の深さはリブ（１７５）により変わる。結果的に、隣り合うリブ（１７５）の間に形成される流路に沿って噴射される水流は厚さが大きいメイン噴射流（ａ１、ａ２、ａ３、ａ４、及びａ５）を形成し、薄い水膜（ｂ１、ｂ２、ｂ３、及びｂ４）が各メイン噴射流（ａ１、ａ２、ａ３、ａ４、及びａ５）の間に形成される。この際、リブ（１７５）はメイン噴射流（ａ１、ａ２、ａ３、ａ４、及びａ５）が水膜（ｂ１、ｂ２、ｂ３、及びｂ４）により分離されないように、互いに連結されるように適切な高さを有する。リブ（１７５）の高さ（ｈ）は隣り合うリブ（１７５）の間の距離（ｗ）と同一であってもよい。
【００３７】
しかしながら、リブ（１７５）が同一の高さに第１面（１７２）に沿って延びる必要はない。リブ（１７５）は、その高さが第１噴射ノズル（１７０）の出口端に向けて徐々に減少するように形成されてもよい。この場合、洗濯水が噴射されるリブ（１７５）の端部側の高さ（ｈ）は、隣り合うリブ（１７５）の間の距離（ｗ）と同一であってもよい。その代案として、出口端でのリブ（１７５）の各々の高さ（ｈ）を変更してもよい。概して、距離（ｗ）は、性能のためには高さ（ｈ）より重要であり、高さ（ｈ）は距離（ｗ）より大きくてもよく、小さくてもよく、あるいは等しくてもよい。例えば、距離（ｗ）と高さ（ｈ）は５ｍｍで、角度（θN）は９０°であってもよい。また、角度（θN）も調節できる。
【００３８】
洗濯水がメイン噴射流（ａ１、ａ２、ａ３、ａ４、及びａ５）及びメイン噴射流（ａ１、ａ２、ａ３、ａ４、及びａ５）の間に形成される水膜（ｂ１、ｂ２、ｂ３、及びｂ４）を含む形態に噴射ノズル（１７０、１８０）により噴射されるによって、メイン噴射流は洗濯物についた汚染物に強い衝撃を与えることができ、洗濯物を撓ませたり、広げたりすることができるため、洗濯性能を向上させることができる。また、洗濯水の噴射面積は水膜により十分に確保される。
【００３９】
図７は、本発明の他の実施形態による洗濯物処理装置に適用される噴射ノズルを示す図である。本実施形態で、噴射ノズル（２７０）は第１面（２７２）に陷入され、洗濯水の流動方向に延びる複数の溝（２７５）を含む。各々の溝（２７５）は断面が円弧形態に形成される。視覚的には輪郭が貝の形に見える。
【００４０】
噴射ノズルにより噴射された洗濯水は、メイン噴射流と水膜が滑らかに繋がる形態を有する。したがって、本実施形態による洗濯水の噴射は、ユーザの審美感を満たすことができる。洗濯水の適当な噴射形態を得るために、各々の溝（２７５）は各溝（２７５）の幅（ｗ）の１／４以下の深さ（ｄ）を有することが好ましい。
【００４１】
しかしながら、溝（２７５）が同一の深さで第１面（２７２）に沿って延びる必要はない。溝（２７５）はその深さが第１噴射ノズル（２７０）の出口端に向けて徐々に増加するように形成される。この場合、洗濯水が噴射される溝（２７５）の端部側の深さ（ｄ）は溝（２７５）の各々の幅（ｄ）の１／４以下になるようにすることが好ましい。例えば、ｗが５ｍｍであれば、ｄは１．２５ｍｍであり、角度（θN）は約３７°であってもよい。その代案として、幅（ｗ）は出口端に向けて徐々に増大するようにしてもよい。また、幅（ｗ）は各々の溝によって変わるようにしてもよい。例えば、幅（ｗ）は外側の溝から中心の溝に向かって増大する、あるいは、外側の溝から中心の溝に向かって減少するようにすることができる。また、深さも同様に変わるようにしてもよい。
【００４２】
本実施形態で、溝（２７５）は噴射ノズル（２７０）の第１面（２７２）の内部に形成されるものとして説明する。また、洗濯水が第１面と、そしてそこに対向する面（点線参照）の間に噴射されるように、第１面（２７２）に対向する面に形成される。この場合、噴射ノズル（２７０）は、ほぼ若干開いた貝の形状に形成され、噴射された洗濯水はその断面が波形を有するようにしてもよい。
【００４３】
図８は、本発明の他の実施形態による洗濯物処理装置に適用される噴射ノズルを示す図である。図９は、図８の部分（Ｃ）の拡大図である。図１０は、図９のライン（Ｄ−Ｄ）に沿って切断した部分（Ｅ）の拡大断面図である。
【００４４】
図８乃至１０を参照すると、本実施形態は噴射ノズル（３７０、３８０）がガスケット（１４０）に一体形成されるという点で、これまでの実施形態と相違する。噴射ノズル（３７０、３８０）は、ガスケット（１４０）から突出する。ガスケット（１４０）は、噴射ノズル（３７０、３８０）に各々洗濯水を案内するためのガスケット流路（３７１）を備える。ガスケット流路（３７１）は噴射流路（１６２、１６３）とコネクタ（３６４）により連結される。
【００４５】
本実施形態で、溝（３７５）が噴射ノズル（３７０）の第１面（３７２）に形成される。溝、面、そして角度は、図７と関連して説明した実施形態と同様である。しかしながら、本発明はこれには限定されない。例えば、図５（Ａ）及び図５（Ｂ）と連係して説明した実施形態と同様に、噴射ノズル（３７０）にリブ（１７５）を形成することができる。
【００４６】
第１噴射ノズル（３７０）は、ガスケット（１４０）の内周面から突出する。このような第１噴射ノズル（３７０）の形態によって、ドラム（１２２）の回転により外部に移動する洗濯物が第１噴射ノズル（３７０）に衝突して内部に移動して、洗濯物のドラム（１２２）の外への離脱を防止し、また洗濯後、ドア（１１３）の開放時、洗濯物が溢れ出ることを防止する。即ち、ノズル（３７０、３８０）は互いに対して１４０°に位置する。この角度は設計によって、大きくなる場合もあり小さくなる場合もある。また、高さ（ｈ）は１８ｍｍとすることができる。
【００４７】
図１１は、本発明の他の実施形態による洗濯物処理装置に適用される噴射ノズルを示す図である。図１２は、図１１の部分（Ｆ）を拡大した図である。図１３は、図１２のライン（Ｇ−Ｇ）に沿って切断した部分（Ｈ）の拡大断面図である。図１４は、図１１のライン（Ｉ−Ｉ）に沿って切断した断面図である。これまでの実施形態と同一または類似の本実施形態の構成についての説明は省略する。例えば、図８乃至１０及び関連する実施形態を参照されたい。
【００４８】
図１１乃至１４を参照すると、噴射ノズル（４７０、４８０）の各々は一部の洗濯水がドラム（１２２）に噴射される第１噴射ホール（４７６ａ）、及び一部の洗濯水がガスケット（１４０）に沿って噴射される第２噴射ホール（４７６ｂ）を備える。噴射ノズル（４７０、４８０）は、洗濯水をドラム（１２２）の内部から上方に噴射するために、ガスケット（１４０）の下部から突出する。この際、噴射ノズル（４７０、４８０）は、溝部（１４２）に形成される。この場合、第１噴射ホール（４７６ａ）は、噴射された洗濯水がガスケット（１４０）と干渉しないように溝部（１４２）の外部に形成される。一方、第２噴射ホール（４７６ｂ）は、好ましくは洗濯水が溝部（１４２）に沿って噴射されるように溝部（１４２）の内部に形成される。
【００４９】
一方、ガスケット（１４０）は、ポンプ（１６０）により汲み上げられ、噴射流路（１６２）を通じて流入する洗濯水を案内するための第１ガスケット流路（４７１ａ）、及び洗濯水を第２噴射ホール（４７６ｂ）に案内するための第１ガスケット流路（４７１ａ）から分岐された第２ガスケット流路（４７１ｂ）を備える。第１ガスケット流路（４７１ａ）は、コネクタにより噴射流路（１６２）に連結される。また、ガスケット（１４０）はポンプ（１６０）により汲み上げられ、噴射流路（１６３）を通じて流入する洗濯水を案内するための他の第１及び第２ガスケット流路を備える。
【００５０】
本実施形態においても、これまでの実施形態のように、第１及び第２噴射ノズル（４７０、４８０）がガスケット（１４０）の垂直対称線（ＰＳＬ）の左右側に垂直対称線（ＰＳＬ）に対し、互いに対称となるように提供される。しかしながら、全ての実施形態で、ノズルの対称的配置は非対称になるように変更できる。噴射ノズル（４７０、４８０）の間には洗濯水が排水される排水ホール（１６８）が形成される。排水ホールは、ガスケット（１４０）の下部に提供される。
【００５１】
本実施形態で、溝（４７５）は噴射ノズル（４７０）の第１面（４７２）に形成される。その代案として、噴射ノズル（４７０）にリブ（１７５）を形成することができ、溝（４７５）は噴射ノズル（４８０）に形成することができる。リブ（１７５）や溝（４７５）の構造は、噴射ノズルがガスケットに一体形成されるか否かに関わらず、任意の構造が各々の実施形態に適用できる。
【００５２】
一方、第１噴射ノズル（４７０）は、ガスケット（１４０）の内周面から突出する。このような形態の第１噴射ノズル（４７０）により、ドラム（１２２）の回転により外部に移動する洗濯物が第１噴射ノズル（４７０）と衝突して内部に移動し、それにより、洗濯物がドラム（１２２）から離脱するのを防止する。また、ノズル（４７０、４８０）により、洗濯後、ドア（１１３）が開放される時、洗濯物が溢れ出るのを防止する。
【００５３】
図１５及び１６は、本発明の一実施形態によって洗濯物処理装置の噴射ノズルによりドラムに噴射された洗濯水の形態を示す概念図である。図１７は、洗濯水の噴射領域について説明するための噴射ノズルにより噴射される洗濯水の断面を示す図である。以下の説明で、ノズル（１７０、１８０）が参照されるが、他の実施形態にも同様に適用できる。
【００５４】
第１噴射ノズル（１７０）と第２噴射ノズル（１８０）は、ガスケット（１４０）の高さの半分より下のガスケット（１４０）の下部の対向側に提供される。第１噴射ノズル（１７０）は、ガスケット（１４０）の左側下部からドラム（１２２）内の上方に洗濯水を噴射し、第２噴射ノズル（１８０）はガスケット（１４０）の右側下部からドラム（１２２）内の上方に洗濯水を噴射する。ドラム（１２２）が回転する間、リフター（１３５）により持ち上げられ、落下する洗濯物（１０）は、第１及び第２噴射ノズル（１７０、１８０）により形成される噴射領域を通過して洗濯物（１０）が処理される。噴射ノズルは、洗濯水を落下する洗濯物に噴射するので、落下する洗濯物に強い衝撃が加えられて、これが洗濯物を撓ませたり、広げたりして、洗濯物処理性能を向上させることができる。
【００５５】
一方、第１噴射ノズル（１７０）は、噴射された洗濯水の上側境界を定義する上側境界噴射流（ｓｔ２）とドラム（１２２）の回転軸（Ｃ）を結合する中央噴射流（ｓｔ１）との間の角度である上側噴射角度（θ1）が噴射された洗濯水の下側境界を定義する下側境界噴射流（ｓｔ３）と中央噴射流（ｓｔ１）との間の角度である下側噴射角度（θ2）より小さくなるように洗濯水を噴射する。洗濯水は、ドラム（１２２）の上部領域に一層集中的に噴射できる。
【００５６】
ガスケット（１４０）の下部に提供された第１噴射ノズル（１７０）と第２噴射ノズル（１８０）の位置における特徴により、第１噴射ノズル（１７０）は、斜線に沿ってドラム（１２２）の右上方後側から右下方前側までの領域に向けて洗濯水を噴射し、第２噴射ノズル（１８０）は斜線に沿ってドラム（１２２）の左上方後側から左下方前側までの領域に洗濯水を噴射する。
【００５７】
洗濯物出入ホール（１１９）からドラム（１２２）の内部を見る時、洗濯水は第１及び第２噴射ノズル（１７０、１８０）によりドラム（１２２）の左右側に向けて均一に噴射される。第１噴射ノズル（１７０）により噴射された洗濯水は（理想的には）図１７（Ｂ）に示すような、後上方右側から前下方右側までの斜線を形成し、第２噴射ノズル（１８０）により噴射される洗濯水は（理想的には）後上方左側から前下方左側までの斜線を形成する。
【００５８】
噴射ノズル（１７０、１８０）は、メイン噴射流（ａ１、ａ２、ａ３、ａ４、及びａ５）のうち、少なくとも１つがドラム（１２２）の上部領域に噴射され、メイン噴射流（ａ１、ａ２、ａ３、ａ４、及びａ５）のうちの少なくとも１つは、ドラム（１２２）の下部領域に噴射されるように形成される。ドラム（１２２）の上部領域は、ドラム（１２２）の高さの半分より上、またはドラム（１２２）の回転中心（Ｃ）より上の内部空間であり、ドラム（１２２）の下部領域はドラム（１２２）の高さの半分より下、またはドラム（１２２）の回転中心（Ｃ）より下の内部空間である。
【００５９】
本実施形態で、ドラム（１２２）の上部領域に噴射されるメイン噴射流の数は、ドラム（１２２）の下部領域に噴射されるメイン噴射流の数より多い。洗濯水はドラム（１２２）の上部領域に一層集中的に噴射できる。
【００６０】
図１７（Ａ）及び図１７（Ｂ）を参照すると、噴射流（ａ１、ａ２、ａ３、ａ４、及びａ５）のうちの３個、即ちａ１、ａ２、及びａ３は中心（Ｃ）の上に噴射され、その残り、即ちａ４及びａ５は中心（Ｃ）の下に噴射される。
【００６１】
洗濯水はドラム内に均一に噴射できる。洗濯水はドラム内に複数の方向に向けて噴射される。洗濯水は、ドラムの下から上に噴射される。洗濯水は、洗濯物に強い衝撃を加えるように洗濯物に噴射される。洗濯水は、ガスケットに沿って噴射され、異物のガスケットへの付着を防止することができる。洗濯水は、ガスケットを効果的に洗浄するように強く噴射される。
【００６２】
洗濯物処理装置は、キャビネットと、キャビネット内に提供されるタブと、洗濯物を収容するためにタブの内部に回転可能に提供されたドラムと、キャビネットとタブとの間に提供されたガスケットと、洗濯水をドラムに噴射するためにガスケットに提供された噴射ノズルと、を含むことができ、噴射ノズルは凹部を形成する複数のガイドを含む。
【００６３】
本出願は、２０１０年２月１２日付の米国出願第１２／７０４，９２３号と関連し、その全体が参照により本出願に組み込まれる。
【００６４】
本明細書で使用した、「一実施形態」、「１つの実施形態」、「例示的な実施形態]等は、本実施形態に関して説明した特徴や構造が本発明の少なくとも１つの実施形態に含まれることを意味する。本明細書の多くの個所でこのような文言が使用されたとしても、その全てが必ずしも同一の実施形態を参照するものではない。任意の実施形態を参照して１つの特徴や構造が説明される時、そのような特徴や構造を他の実施形態と連係して具現できることは当業者に自明である。
【００６５】
本発明が限定された数の実施形態として説明されたが、本発明の事象と範囲を逸脱することなく、本発明の実施形態に対する多様な修正、変更が可能であることは当業者に明白である。
【図１】
0005497903.tif 000002
【図２】
0005497903.tif 000003
【図３】
0005497903.tif 000004
【図４】
0005497903.tif 000005
【図５（Ａ）】
0005497903.tif 000006
【図５（Ｂ）】
0005497903.tif 000007
【図６】
0005497903.tif 000008
【図７】
0005497903.tif 000009
【図８】
0005497903.tif 000010
【図９】
0005497903.tif 000011
【図１０】
0005497903.tif 000012
【図１１】
0005497903.tif 000013
【図１２】
0005497903.tif 000014
【図１３】
0005497903.tif 000015
【図１４】
0005497903.tif 000016
【図１５】
0005497903.tif 000017
【図１６】
0005497903.tif 000018
【図１７】
0005497903.tif 000019